(57)【要約】      （修正有）【課題】床下や建物における配線の取り回しの複雑化を回避しつつ、且つ配線を目立たせずに取り回し得る家具を提供する。【解決手段】家具１は、側板３及びこの側板３間に架け渡され側板３同士を固定する横架材５を有する家具本体１０を側板３同士を側方に連接することにより複数連接してなる家具１であって、側板３に横架材５の内部空間に連通させ得る配線連通口３１ｄを有し、側方に連接した側板３同士の配線連通口３１ｄ同士を連通させる。これにより、各側板３へ配線ｈを導入するための床面等の配線ｈの取り回しや、露出した配線ｈの隠蔽といった手間を有効に回避しつつ自由な配線ｈの取り回しを実現する。【選択図】図１
2013102989.tif 000002
【特許請求の範囲】
【請求項１】
側板及びこの側板間に架け渡され前記側板同士を固定する横架材を有する家具本体を前記側板同士を側方に連接することにより複数連接してなる家具であって、
前記側板に前記横架材の内部空間に連通させ得る連通口を有し、前記側方に連接した側板同士の前記連通口同士を連通させてなることを特徴とする家具。
【請求項２】
前記側板が、当該側板の上下に亘って配線を挿通させ得る上下挿通部を有している請求項１記載の家具。
【請求項３】
前記側板が、当該側板の下端部で前記側板の内面側に開口する下開口を有し、前記側方に連接した側板同士の前記下開口同士を連通させている請求項１又は２記載の家具。
【請求項４】
前記連通口が前記側板の前後方向中央に設けられた前記横架材に連通しているものであり、前記側板が前記横架材の前後に棚板を取り付け得るものである請求項１、２又は３記載の家具。
【請求項５】
連接させた前記家具本体の外側面に取り付け得るパネルを有するものであり、このパネルが、オプション部材を取り付け得るオプション取付部と、前記オプション取付部と前記上下挿通部とを連通させ得るオプション用の配線穴とを有している請求項２記載の家具。
【請求項６】
側方に連接された前記複数の家具本体が。上下寸法が互いに異なるものである請求項１、２、３、４又は５記載の家具。
【発明の詳細な説明】
【技術分野】
【０００１】
本発明は、オフィスや公共施設等に用いられる家具に関するものである。
【背景技術】
【０００２】
従来、オフィスや公共施設等に設置される書架等をはじめとする家具では、床面から立設される側板内に配線を挿通可能にすることにより、例えば側板の外面を覆うパネルに、照明やディスプレイといったオプション部材を使用可能とする技術が開示されている（例えば、特許文献１参照）。
【０００３】
当該特許文献に記載のものは、床面からの配線を側板内部に形成された上下方向に配線を挿通し得る上下挿通部に配線を伝わせることにより、側板を被覆するパネル上部に取り付けられたディスプレイに接続したり、当該配線を側板から上方へ挿通させ得るように構成されている。
【０００４】
しかしながら実際にはオフィスや公共施設といった場所ではこのような家具或いは当該家具の主体をなす家具本体が側方に複数連接され、そのような家具が同じ空間に多数設置されている。このような状況において上記特許文献記載の家具を適用した場合、床下における配線がいきおい複雑なものとなったり、また側板上部から配線を引き出して配線を露出させてしまうか、家具上方において配線を隠蔽する為の格別の手段を要するものとなってしまう。
【０００５】
すなわち、床下や建物における配線の取り回しの複雑化を回避しつつ、且つ配線を目立たせずに取り回し得るものが求められているのが現状である。
【先行技術文献】
【特許文献】
【０００６】
【特許文献１】特開２０１１−１０４００３号公報
【発明の概要】
【発明が解決しようとする課題】
【０００７】
本発明は、上述したような点に着目したものであり、床下や建物における配線の取り回しの複雑化を回避しつつ、且つ配線を目立たせずに取り回し得る家具を提供することを目的としている。
【課題を解決するための手段】
【０００８】
本発明は、このような目的を達成するために、次のような手段を講じたものである。すなわち本発明に係る家具は、側板及びこの側板間に架け渡され前記側板同士を固定する横架材を有する家具本体を前記側板同士を側方に連接することにより複数連接してなる家具であって、前記側板に前記横架材の内部空間に連通させ得る連通口を有し、前記側方に連接した側板同士の前記連通口同士を連通させてなることを特徴とする。
【０００９】
このようなものであれば、配線を家具本体を伝って挿通させることができるので、配線の導入箇所から連接した各家具本体に亘って配線を行き渡らせることができる。これにより、各側板へ配線を導入するための床面等の配線の取り回しや、露出した配線の隠蔽といった手間を有効に回避しつつ配線を取り回し得る家具を提供することが可能となる。
【００１０】
配線を所望の位置に有効に行き渡らせるようにするためには、側板を、当該側板の上下に亘って配線を挿通させ得る上下挿通部を有したものとすることが望ましい。
【００１１】
また本願の連通口を設ける位置は横架材を設ける位置であればなんら限定されることはないが、床面からの配線を効率良く導入し得るようにするためには、側板を、当該側板の下端部で前記側板の内面側に開口する下開口を有するものとし、前記側方に連接した側板同士の前記下開口同士を連通させるようにすれば、床面における所要の位置から配線を導入することができる。
【００１２】
より有効に配線を目立たなく隠蔽し得る具体的な構成として、連通口が側板の前後方向中央に設けられた横架材に連通しているものであり、側板が前記横架材の前後に棚板を取り付け得るものを挙げることができる。
【００１３】
そして、上記構成を利用してオプション部材を有効に活用するためには、連接させた前記家具本体の外側面に取り付け得るパネルを有するものとし、このパネルが、オプション部材を取り付け得るオプション取付部と、前記オプション取付部と前記上下挿通部とを連通させ得るオプション用の配線穴とを有したものとすることが好ましい。
【００１４】
また本発明に係る家具は、側方に連接された前記複数の家具本体が。上下寸法が互いに異なるものであっても同様に、配線を目立たせずに所要の箇所へ取り回すことができる。
【発明の効果】
【００１５】
本発明によれば、床下や建物における配線の取り回しの複雑化を回避しつつ、且つ配線を目立たせずに取り回し得る家具を提供することができる。
【図面の簡単な説明】
【００１６】
【図１】本発明の一実施形態に係る正面図。
【図２】同側面図。
【図３】同外観図。
【図４】同要部の外観図。
【図５】同他の要部の外観図。
【図６】同要部の構成説明図。
【図７】図１に係るＩ−Ｉ線部分断面図。
【図８】同実施形態に係る要部の外観図。
【図９】図６に対応した他の構成説明図。
【図１０】図７に係る作用説明図。
【図１１】同実施形態に係る要部の外観図。
【図１２】同他の要部の外観図。
【図１３】同他の要部の構成説明図。
【図１４】同上。
【図１５】本実施形態の変形例に係る説明図。
【発明を実施するための形態】
【００１７】
以下、本発明の一実施の形態について図面を参照して説明する。
【００１８】
本実施形態に係る家具システムＳは、図１〜図１４に示すように、単独で書棚として使用され得る複数の家具１を、連結具２を介して前後方向に連結してなるものである。
【００１９】
家具１は、対をなす側板３間に横架材５や棚板８等の各構成要素を横架させた構成をなす互いに連接させた対をなす家具本体１０と、この家具本体１０の外側を被覆するパネル１１とを有している。本実施形態では家具１は、一対の連設させた家具本体１０に対しパネル１１を取り付けた構成を例示しているが、勿論連接させる家具本体１０の数は単数でもさらに多数であってもよい。
【００２０】
パネル１１は、図２等に示すように、主に板金の折り曲げにより構成されたパネル本体１１ａを主体とし、連接させた家具本体１０の外側面すなわち側板３に設けられた図示しないダルマ穴に挿入し得る図示しないピンを突設させ、当該ピンにより側板３に取り付け被覆し得るものである。そしてこのパネル１１は前記パネル本体１１ａの他に、例えば液用ディスプレイ等のオプション部材を取付けることができるオプション取付部１１ｂと、このオプション取付部１１ｂに取り付けられたオプション部材へ配線ｈを導入し得る配線穴１１ｃとを有している。
【００２１】
ここで、本実施形態に係る家具１は、側板３及びこの側板３間に架け渡され前記側板３同士を固定する横架材５を有する家具本体１０を前記側板３同士を側方に連接することにより複数連接してなる家具１であって、前記側板３に前記横架材５の内部空間に連通させ得る連通口を有し、側方に連接した側板３同士の配線連通口３１ｄ同士を連通させてなることを特徴とする。
【００２２】
以下、家具本体１０の具体的な構成から順に説明していく。
【００２３】
家具本体１０は、床面に図示しない態様にて固定された状態で立設された対をなす側板３と、この側板３間の下端部で前後対をなして横架させたベース４と、側板３の前後方向中央において下端部、上下方向の略中央部及び上端部にそれぞれ横架させた横架材５と、側板３の上端において横架させた天板６と、側板３間に棚爪９を介して着脱可能に取り付けられた棚板８と、この側板３を側方に同じ構成をなす側板３に連設させるための連設具７を有している。
【００２４】
連設具７は、図５、図８等に示されるように、例えば六角レンチ等の工具を用いて側方から互いに引き寄せて締め付け得る、雄ねじを有したものと雌ねじを有したものとがある既存のものであり、本実施形態では側板３を連設させている所ではこれら雄ねじ、雌ねじの締め付けにより強固に連設されているが、パネル１１が取り付けられる側板３ではパネル１１側に図示しない例えば雌ねじ部分が形成されており、斯かる側板３ではこの雌ねじ部分に対して例えば雄ねじを有した連設具７が取り付けられる。
【００２５】
ベース４は、上述の通り側板３の下端部の前後端を横架させた状態でねじ止め等により強固に固定されたものであり、このベース４と側板３によって平面視枠構造を構成し、家具本体１０自体の強度を向上させ得るとともに、床面からの配線ｈを前後方向に隠蔽し得るものである。
【００２６】
天板６は、図１３に示すように、天板６の上端に前後方向に３箇所において側板３にねじ止めされることによって側板３間に固定されるものである。なお本実施形態に斯かる家具１は図１４に示すように、天板６を取り付けずに使用することも可能である。これにより、最上段の棚板８上には、側板３の上端よりも高いものを載置することができる。
【００２７】
横架材５は、横架材５は、側板３の前後方向中央において下端部、中央部及び上端部の３箇所横架させた状態でねじ止めにより強固に固定された中空状に形成されたものであり、図４に示すように、両側端には取り付けの際に側板３側に掛け止めておくための対をなす取付フック５３と、この取付フック５３のやや下方において配線ｈを内部空間へ引き込むための配線導入口５２とを有している。
【００２８】
側板３は、板金の折り曲げによって形成された側板本体３１を主体としたものである。そして側板３は当該側板本体３１の他、側板本体３１の下端部に固着されるアジャスタ３２と、横架材５の取付位置において横架材５と共締めされる横架材取付具３３と、側板本体３１の上端において連結具２を取り付けるための連結具取付板３４とを有している。アジャスタ３２は側板本体３１の下端部においてベース４のやや内側に取り付けられている、また本実施形態ではアジャスタ３２は床面に直接または別途の部品を用いて固定される構成を適用しているが、当該構成についての説明は省略する。横架材取付具３３は図４に示すように、横架材５を取り付けた箇所にねじ止めされるものであり、横架材５の取付フック５３に係り合う対をなすフック支持孔３３ａと、このフック支持孔３３ａのやや下側に設けられ横架材５の配線導入口５２に連通し得る配線穴１１ｃとを有している。連結具取付板３４は、図１３及び図１４に示すように、連結具２を取り付けるために側板本体３１に例えばねじ止めされた板金の折り曲げによってなるものである。この連結具取付板３４は、連結具２を取り付けるための取付穴３４ｂと、連結具２との干渉を回避するために形成された取付凹部３４ａとを有している。
【００２９】
そして側板本体３１は、下端部近傍に配線ｈを挿通し得るようにした板金を凹ませて形成した下側挿通部３１ａと、この下側挿通部３１ａに連通しアジャスタ３２の若干内側の位置で内方に連通させた対をなす開口である下開口３１ｂと、前後略中央の位置で下側挿通部３１ａに連通する溝状に板金を凹ませた部位であり、棚板８本体の上下端に亘って延びる上下挿通部３１ｃと、この上下挿通部３１ｃにおける略中央位置、すなわち横架材５を取り付けた位置で開口するとともに、横架材５の配線導入口５２並びに横架材取付具３３の配線穴１１ｃに連通することによって横架材５の内部空間へ連通し得る連通口たる配線連通口３１ｄと、横架材５の取付フック５３を挿通し得る対をなすスリット３１ｅと、上端部に設けられ天板６を取り付けるための天板取付部３１ｇとを有している。下側挿通部３１ａ及び下開口３１ｂを設けることにより、図５に示すように床面からの配線ｈを家具本体１０の下方から導入し得るようにしている。また下開口３１ｂは側方に連接した側板３同士でも連通しているので、床面から隣接する家具本体１０間で配線ｈを取り回すことも可能である。そして上下挿通部３１ｃは、上述したパネル１１に設けられた配線穴１１ｃにも連通することにより、オプション取付部１１ｂに取り付けられた液晶ディスプレイ等のオプション部材にスムーズに接続し得る。
【００３０】
しかして本実施形態では、側方に連接した側板３同士の配線連通口３１ｄ同士を連通させることにより、隣接した複数の家具本体１０間において横架材５を介して連設方向にも配線ｈを取り回すことによって、所望の位置へ配線ｈを取り回し得るものとなっている。なお図１及び図３においては、家具１内に配線ｈを取り回し得る位置を破線を付して示している。
【００３１】
本実施形態では図１〜図３に示すように、下側挿通部３１ａ、下開口３１ｂ、上下挿通部３１ｃ、そして横架材５の内部空間において破線で示すように自由に配線ｈを取り回しすることができる。これにより、配線ｈを導入した位置から所要の位置の例えばオプション部材へ向けて効率良く配線ｈを配置し得るものとなっている。
【００３２】
また側板本体３１は、内面側すなわち側板３の内面において、上記の連設具７を内面と略面一となるよう取り付けるために設けられた凹陥及び開口からなる連設用穴３１ｆと、棚爪９を介して棚板８を間接的に取り付けるための棚板支持部３５とを有している。この棚支持部９２は、側板本体３１の前後にそれぞれ設けられている。そしてこの棚板支持部３５は、上下等間隔に複数配置された横長スリット形状の開口である爪固定穴３５ａからなる。
【００３３】
棚爪９は、例えば板金の折り曲げによって形成された既存のものであり、本実施形態では側板３側に挿入される挿入部９１と、棚板８の荷重を受ける棚支持部９２と、棚板８に前後方向に当接してずれないように棚板８を係止する棚係止部９３とを有するものとしている。
【００３４】
棚板８は、図１〜図１２に示すように、上記した棚爪９を介して側板３間、具体的には横架材５の前後に、爪固定穴３５ａの設けられた位置に応じて上下方向における所望の位置に取り付け得るものである。また棚板８は、図１及び図６〜図８に示されるような水平姿勢（Ｐ）と、この水平姿勢（Ｐ）から一旦棚板８を取り外した後棚板８の前後を反転させ、図３及び図９〜図１１に召すような傾斜姿勢（Ｑ）とをとり得るものである。
【００３５】
以下、棚板８の構成について説明する。この棚板８は、水平姿勢（Ｐ）で載置物を載置可能に支持し得る水平支持面８１と、この水平支持面８１から屈曲又は湾曲させて設けられ前記傾斜姿勢（Ｑ）で前記載置物を落下不能に支持し得る傾斜支持面８２と、水平姿勢（Ｐ）における前側で棚爪９に取り付けるための水平第一取付部８３と、水平姿勢（Ｐ）における後側で棚爪９に取り付けるための水平第二取付部８４と、棚板８を前後反転させた傾斜姿勢（Ｑ）では後上方において棚爪９に取り付けるための傾斜第一取付部８５と、同じく傾斜姿勢（Ｑ）で前下方で棚爪９に取り付けるための傾斜第二取付部８６とを有している。水平第一取付部８３並びに水平第二取付部８４は、それぞれ上下方向を同じく爪固定穴３５ａに取り付けられた前後の棚爪９の棚支持部９２に対し載せ置かれ支持される被支持面８３ａ、８４ａと、この被支持面８３ａ、８４ａの前後において板金を立ち上がらせることによって形成されたずれ止め面８３ｂ、８４ｂとを有している。このずれ止め面８３ｂ、８４ｂは棚爪９の棚係止部９３に適宜当接することにより、水平姿勢（Ｐ）にある棚板８が前後にずれることを禁止している。
【００３６】
しかして本実施形態に斯かる家具１は、傾斜第一取付部８５及び傾斜第二取付部８６を設けることにより、棚板８を棚板支持部３５により前記水平姿勢（Ｐ）から傾斜させた傾斜姿勢（Ｑ）で棚板８を支持し得る傾斜支持機構Ｘを構成している。
【００３７】
傾斜第一取付部８５は、棚爪９の棚支持部９２を挿入させ得る傾斜スリット８５ａを有し、この棚爪９の棚支持部９２が傾斜スリット８５ａ内に入り込み、傾斜スリット８５ａの当接端８５ｂに棚支持部９２の側端面が当接することにより、棚爪９に対して相対回転不能に支持される。ここで棚爪９は棚支持部９２に対して相対回転不能に支持されている。すなわち、棚支持部９２、棚爪９及び傾斜第一取付部８５とによって、棚板８を傾斜姿勢（Ｑ）で側板３に対し相対回転不能に支持する傾斜支持機構Ｘを構成している。
【００３８】
他方、傾斜第二取付部８６は、図１２に拡大して示すように、傾斜支持面８２近傍の棚板８の下端部において棚爪９を挿入させ得る爪挿入部８６ａと、棚爪９の棚支持部９２に支持される傾斜被支持面８６ｂと、水平姿勢（Ｐ）ではこの傾斜被支持面８６ｂよりも上側に隣接させて位置させた突起であるずれ止め突起たる上ずれ止め突起８６ｃと、同じく水平姿勢（Ｐ）では傾斜被支持面８６ｂよりも下側に隣接させて位置するずれ止め突起たる下ずれ止め突起８６ｄとを有している。そして図１１に示すように、傾斜第二取付部８６は爪挿入部８６ａから棚爪９を挿入させて傾斜被支持面８６ｂにて爪支持部に支持させた状態では前後から上ずれ止め突起８６ｃ、下ずれ止め突起８６ｄに挟まれて前後方向に位置決めされるしかもこれら上ずれ止め突起８６ｃ及び下ずれ止め突起８６ｄは棚爪９との係り合いを解除し得る方向のみに棚支持部９２を移動させ得ないようにしているので、この傾斜第二取付部８６は棚爪９に対して回転不能に取り付けられていることとなる。すなわち、棚爪９は棚支持部９２に対して回転不能に取り付けられているので、棚支持部９２、棚爪９及び傾斜第二取付部８６とによって、棚板８を傾斜姿勢（Ｑ）で側板３に対し相対回転不能に支持する傾斜支持機構Ｘを構成している。
【００３９】
そして、以上に説明した家具１は、図１３及び図１４に詳細に示すように、上述した連結具２を介して互いに連結されることによって本実施形態に係る家具システムＳを構成している。以下、連結具２の構成について説明する。
【００４０】
連結具２は、側板３の最上部に固定された連結具本体２０と、この連結具本体２０を他の家具１に取り付けられた連結具本体２０に対し接続する接続杆たるステー２１とを有するものである。
【００４１】
連結具本体２０は、板金の取り曲げ及び溶接からなるもので、側板３からさらに上方へ立ち上がる立設部２２と、この立設部２２から前後方向すなわち側板３の長手方向へ突出する突出部２３と、側板３の上端面の略全域を被覆する被覆板部２４と、この被覆板部２４から下方に突出する下突出部２５と、この下突出部２５から別の位置で下方へ側板３内部へ向けて突出し、側板３側にねじ止めされる被固定部２２ｂたるねじ止め部２６とを有している。立設部２２は、板金材を例えば門状に屈曲させた状態で被覆板部２４から立ち上がる立設部本体２２ａと、この立設部本体２２ａの上端において突出部２３を例えば溶接等により固定している固定部２２ｂとを有している。突出部２３は金属板をコの字状に折り曲げてなる突出部本体２３ａと、この突出部本体２３ａの上面側に溶接固定された溶接ナット２３ｂとを有している。そして下突出部２５は、天板６を取り付けるために設けられた天板取付部３１ｇの位置を回避するための干渉回避部たる退避凹部２５ａを有している。
【００４２】
ステー２１は、家具１間の距離に応じた長手寸法を有した金属製のチャネル材状に形成されたステー本体２７と、このステー本体２７の両端に例えば２箇所形成されボルト挿通孔２８とを有している。
【００４３】
そして連結具本体２０は、側板３の上端を被覆板部２４が被覆するように挿入すると、下突出部２５及びねじ止め部２６が側板３の内部に位置決めをしながら入り込み、ねじ止め部２６の位置でねじｎにより固定することにより、側板３の上端において強固に固定され得る。このとき図１３に示すように退避凹部２５ａを設けておくことにより、天板６を側板３の上部に取り付けた状態であっても天板取付部３１ｇに干渉することなく、安定して連結部本体を取り付けることができる。
【００４４】
そして図１４に示すように、連結具本体２０は勿論、家具１が天板６を外した状態で使用される場合であってもなんら影響されることはなく、安定して側板３に強固に取り付けられる。
【００４５】
そして側板３に強固に取り付けられた連結具本体２０に対し、ステー２１の端部を突出部２３に差し込み、しかる後にボルト挿通孔２８からボルトｂを挿入し溶接ナット２３ｂに締結することにより、連結具２は側板３の上端間を強固に連結する。これにより、家具１同士が強固に連結された家具システムＳが実現される。
【００４６】
以上のような構成とすることにより、本実施形態に係る家具１は、側方に連接した側板３同士の配線連通口３１ｄ同士を連通させることにより、配線ｈを横架材５を伝って挿通させることができ、配線ｈの導入箇所から連接した各家具本体１０に亘って配線ｈを行き渡らせ得る。これにより、各側板３へ配線ｈを導入するための床面等の配線ｈの取り回しや、露出した配線ｈの隠蔽といった手間を有効に回避しつつ自由な配線ｈの取り回しを実現している。
【００４７】
配線ｈを所望の位置に有効に行き渡らせるようにするために本実施形態では、側板本体３１に、当該側板本体３１の、例えば上下全域に亘って配線ｈを挿通させ得る上下挿通部３１ｃを設けたものとしている。
【００４８】
また本実施形態ではさらに、側板３の内面側に開口する下開口３１ｂを有するものとし、側方に連接した側板３同士の前記下開口３１ｂ同士を連通させるようにしているので、床面における所要の位置から配線ｈを導入し得る。
【００４９】
より有効に配線ｈを目立たなく隠蔽し得るために本実施形態では、横架材５を側板３の前後方向中央に設け、この横架材５の前後に棚板８を取り付けている。
【００５０】
そして本実施形態では、パネル１１に取り付けたオプション部材まで容易に配線ｈを取り回し得るよう、上下挿通部３１ｃがオプション用の配線穴１１ｃとも連通させるようにしている。
【００５１】
＜変形例＞
以下、本実施形態の変形例について図１５を参照して説明する。なお当該変形例において、上記実施形態の構成要素に相当するものについては同じ符号を付すとともに、その詳細な説明を省略するものとする。
【００５２】
上記実施形態では、家具１を構成する複数の家具本体１０が同じ高さを有する態様を開示したが、勿論、家具本体１０の側板３が有する配線連通口３１ｄさえ連通していれば、種々の高さ寸法を有する複数の家具本体１０を連設させても良い。
【００５３】
同図に示す家具１は、上記実施形態に係る家具本体１０よりも上下寸法が短く、横架材５を２本有する家具本体１０Ｓを有している。すなわち寸法の短い側板３Ｓを有する家具本体１０Ｓを適用している。そしてこの場合、寸法の短い家具本体１０Ｓの外側には短寸パネル１１Ｂを取り付けると共に、隣接する家具本体１０の側板３が突出する箇所には別途段違いパネル１１Ａを取り付けるようにすればよい。
【００５４】
このようなものであっても、配線連通口３１ｄ同士が連通することにより上記実施形態同様、所望の位置へ配線ｈを導くことができる。
【００５５】
以上、本発明の実施形態について説明したが、各部の具体的な構成は、上述した実施形態のみに限定されるものではなく、本発明の趣旨を逸脱しない範囲で種々変形が可能である。
【００５６】
例えば、上記実施形態では側板における中間位置に設けた横架材に配線を挿通する態様を開示したが、勿論、側板の最上部に配した横架材に配線を挿通させ得るようにしてもよい。また側板や横架材の具体的な態様は上記実施形態のものに限定されることはなく、既存のものを含め、種々の態様のものを適用することができる。
【００５７】
その他、各部の具体的構成についても上記実施形態に限られるものではなく、本発明の趣旨を逸脱しない範囲で種々変形が可能である。
【産業上の利用可能性】
【００５８】
本発明はオフィスや公共施設等に用いられる家具システムとして利用することができる。
【符号の説明】
【００５９】
（２１１０２２５側板開口連通）
１…家具
１０…家具本体
１１…パネル
１１ｂ…オプション取付部
１１ｃ…オプション用の配線穴（配線穴）
３…側板
３１ｂ…下開口
３１ｃ…上下挿通部
３１ｄ…連通口（配線連通口）
５…横架材
８…棚板
【図１】
2013102989.tif 000003
【図２】
2013102989.tif 000004
【図３】
2013102989.tif 000005
【図４】
2013102989.tif 000006
【図５】
2013102989.tif 000007
【図６】
2013102989.tif 000008
【図７】
2013102989.tif 000009
【図８】
2013102989.tif 000010
【図９】
2013102989.tif 000011
【図１０】
2013102989.tif 000012
【図１１】
2013102989.tif 000013
【図１２】
2013102989.tif 000014
【図１３】
2013102989.tif 000015
【図１４】
2013102989.tif 000016
【図１５】
2013102989.tif 000017